(57)【要約】【課題】  小型化および低コスト化を図りつつ、レンズ鏡筒本体内のガタをなくすことができるレンズ鏡筒を提供する。【解決手段】  第１の鏡筒部材（１）と、第１の鏡筒部材に対して光軸方向にて当接し、かつ第１の鏡筒部材に対して光軸回りでの回転が可能な第２の鏡筒部材（２）と、第１の鏡筒部材に対して光軸方向にて当接する第１のレンズ保持部材（６）と、第１の鏡筒部材に固定される固定部、第２の鏡筒部材を第１の鏡筒部材への当接方向に付勢する第１の付勢部（４０２ａ〜４０２ｅ）および第１のレンズ保持部材を第１の鏡筒部材への当接方向に付勢する第２の付勢部（４０３ａ〜４０３ｃ）を有する付勢部材（４）とを有する。【選択図】  図１
2005173414.tif 000002
【特許請求の範囲】
【請求項１】
第１の鏡筒部材と、
該第１の鏡筒部材に対して光軸方向にて当接し、かつ前記第１の鏡筒部材に対して光軸回りでの回転が可能な第２の鏡筒部材と、
前記第１の鏡筒部材に対して光軸方向にて当接する第１のレンズ保持部材と、
前記第１の鏡筒部材に固定される固定部、前記第２の鏡筒部材を前記第１の鏡筒部材への当接方向に付勢する第１の付勢部および前記第１のレンズ保持部材を前記第１の鏡筒部材への当接方向に付勢する第２の付勢部を有する付勢部材とを有することを特徴とするレンズ鏡筒。
【請求項２】
前記付勢部材は、光軸方向を厚み方向とする板形状のばねであることを特徴とする請求項１に記載のレンズ鏡筒。
【請求項３】
前記第２の鏡筒部材の前記第１の鏡筒部材への当接方向と前記第１のレンズ保持部材の前記第１の鏡筒部材への当接方向とが互いに同一方向であり、
前記第１および第２の付勢部は、互いに同一方向への付勢力を発生することを特徴とする請求項１又は２に記載のレンズ鏡筒。
【請求項４】
前記第２の鏡筒部材は、前記第１の鏡筒部材の外側に配置されており、
前記付勢部材はリング形状を有し、
前記第１の付勢部は前記付勢部材の外周側部分に、前記第２の付勢部は前記付勢部材の内周側部分に設けられていることを特徴とする請求項１から３のいずれか１つに記載のレンズ鏡筒。
【請求項５】
前記１のレンズ保持部材は、前記第１の鏡筒部材に対して光軸直交方向に位置調節が可能であることを特徴とする請求項１から４のいずれか１つに記載のレンズ鏡筒。
【請求項６】
前記第１の鏡筒部材は、前記付勢部材の前記固定部が光軸方向にて当接する固定面を有し、
前記第２の鏡筒部材における前記第１の付勢部が当接する部分が、前記固定面よりも前記第２の付勢部の側に突出していることを特徴とする請求項１から５のいずれか１つに記載のレンズ鏡筒。
【請求項７】
前記第１のレンズ保持部材よりも像面側に配置され、前記第２の鏡筒部材の回転により光軸方向に駆動される第２のレンズ保持部材を有することを特徴とする請求項１から６のいずれか１つに記載のレンズ鏡筒。
【請求項８】
前記第１および第２の鏡筒部材が、レンズ鏡筒本体に対して一体的に光軸方向に移動可能であることを特徴とする請求項１から７のいずれか１つに記載のレンズ鏡筒。
【請求項９】
第１の鏡筒部材と、
該第１の鏡筒部材に対して光軸方向にて当接し、かつ前記第１の鏡筒部材に対して光軸回りでの回転が可能な第２の鏡筒部材と、
前記第１の鏡筒部材に固定される固定部および前記第２の鏡筒部材を前記第１の鏡筒部材への当接方向に付勢する付勢部を有する付勢部材とを有し、
前記第１の鏡筒部材は、前記付勢部材の前記固定部が光軸方向にて当接する固定面を有し、
前記第２の鏡筒部材における前記付勢部が当接する部分が、前記固定面よりも前記付勢部の側に突出していることを特徴とするレンズ鏡筒。
【請求項１０】
前記付勢部材は、光軸方向を厚み方向とする板形状のばねであることを特徴とする請求項９に記載のレンズ鏡筒。
【請求項１１】
前記第１および第２の鏡筒部材が、レンズ鏡筒本体に対して一体的に光軸方向に移動可能であることを特徴とする請求項９又は１０に記載のレンズ鏡筒。
【請求項１２】
請求項１から１１のいずれか１つに記載のレンズ鏡筒と、
該レンズ鏡筒からの光を光電変換する撮像素子とを有することを特徴とするカメラ。
【発明の詳細な説明】
【技術分野】
【０００１】
本発明は、ズーム機能を備えたカメラなどに好適なレンズ鏡筒に関するものである。
【背景技術】
【０００２】
従来、レンズを鏡筒に固定する構造としては、プラスチックレンズを、バネ弾性が有る押しリングで、鏡筒へ押圧して固定しているものがある（例えば、特許文献１参照）。
【０００３】
また、光軸方向に進退する直進筒と、該直進筒に係合し、直進筒に対して回転自在で、光軸方向には一体的に移動する回転筒との光軸方向のガタをなくすために、固定筒のフランジ部と回転筒の端面との間にコイルバネ等の弾性部材を配置し、回転筒を固定筒に対して光軸方向に付勢するものがある（例えば、特許文献２参照）。
【０００４】
さらに、カム筒の先端に板バネ形状の弾性部材を固定して、鏡筒本体に対して光軸方向に付勢しているものがある（例えば、特許文献３参照）。
【特許文献１】特開平５−１８８２５３号公報（段落番号００１８、第１図）
【特許文献２】特開平９−３２９７３５号公報（段落番号００１５、第１図）
【特許文献３】特開２０００−１８０６８９号公報（段落番号００１０、第２図）
【発明の開示】
【発明が解決しようとする課題】
【０００５】
しかしながら、特許文献１で提案されているレンズの固定構造では、レンズを固定するための専用の弾性部材（板バネ）が必要になるため、部品点数の増加によってコストアップになるとともに、レンズ鏡筒が大型化してしまう。
【０００６】
一方、特許文献２や特許文献３で提案されている構造では、弾性部材の幅（径方向の幅）が筒の肉厚未満のため、弾性部材に大きな押圧力をもたせることが困難となる。また、バネ定数が高くなることで、生産時におけるレンズ鏡筒個々の寸法のバラツキによって、弾性部材の押圧力もばらつき、安定してガタを取り除くことが困難となる。
【０００７】
さらに、弾性部材を上記の狭い幅に配置するためには、弾性部材を光軸方向に折り曲げたり、突起を設けたりする必要があるが、この場合には弾性部材の形状が複雑化してしまう。これにより、コスト高になったり、光軸方向の厚みが増してレンズ鏡筒が大型化したりするおそれがある。
【０００８】
本発明は、上述した事情に鑑みてなされたもので、新たな部品を用いずに低コスト化および小型化を図りながら、レンズを固定することができるレンズ鏡筒を提供することを目的とする。また、レンズ鏡筒の全長（光軸方向における長さ）の短縮化を実現できるレンズ鏡筒を提供することを目的とする。
【課題を解決するための手段】
【０００９】
本願第１の発明であるレンズ鏡筒は、第１の鏡筒部材と、第１の鏡筒部材に対して光軸方向にて当接し、かつ第１の鏡筒部材に対して光軸回りでの回転が可能な第２の鏡筒部材と、第１の鏡筒部材に対して光軸方向にて当接する第１のレンズ保持部材と、第１の鏡筒部材に固定される固定部、第２の鏡筒部材を第１の鏡筒部材への当接方向に付勢する第１の付勢部および第１のレンズ保持部材を第１の鏡筒部材への当接方向に付勢する第２の付勢部を有する付勢部材とを有することを特徴とする。
【００１０】
本願第２の発明であるレンズ鏡筒は、第１の鏡筒部材と、第１の鏡筒部材に対して光軸方向にて当接し、かつ第１の鏡筒部材に対して光軸回りでの回転が可能な第２の鏡筒部材と、第１の鏡筒部材に固定される固定部および第２の鏡筒部材を第１の鏡筒部材への当接方向に付勢する付勢部を有する付勢部材とを有し、第１の鏡筒部材は、付勢部材の固定部が光軸方向にて当接する固定面を有し、第２の鏡筒部材における付勢部が当接する部分が、固定面よりも付勢部の側に突出していることを特徴とする。
【００１１】
上述した本発明のレンズ鏡筒は、該レンズ鏡筒からの光を光電変換する撮像素子を有するカメラに設けることができる。
【発明の効果】
【００１２】
本願第１の発明によれば、１つの付勢部材を用いて、第２の鏡筒部材を第１の鏡筒部材への当接方向に付勢するとともに、第１のレンズ保持部材を第１の鏡筒部材への当接方向に付勢するため、第２の鏡筒部材および第１のレンズ保持部材のそれぞれを付勢する２つの付勢部材を設ける場合に比べて、部品点数を減らすことができ、レンズ鏡筒の小型化および低コスト化を図ることができる。そして、このレンズ鏡筒をカメラに設ければ、カメラの小型化および低コスト化を図ることもできる。
【００１３】
本願第２の発明によれば、第２の鏡筒部材における付勢部が当接する部分を、固定面よりも付勢部の側に突出させる構成とすることで、簡単な構成で付勢部材に付勢力を持たせることができるとともに、この付勢力によって第２の鏡筒部材および第１の鏡筒部材間のガタを無くすことができる。
【００１４】
付勢部材を、光軸方向を厚み方向とする板形状のばねとすることにより、レンズ鏡筒の光軸方向における長さを短くすることができる。
【００１５】
第２の鏡筒部材の第１の鏡筒部材への当接方向と第１のレンズ保持部材の第１の鏡筒部材への当接方向とを互いに同一方向とし、第１および第２の付勢部によって、互いに同一方向への付勢力を発生させるようにすれば、レンズ鏡筒の構成を簡単な構成とすることができる。
【００１６】
付勢部材をリング形状とし、第１の付勢部を付勢部材の外周側部分に、第２の付勢部を付勢部材の内周側部分に設けることにより、第２の鏡筒部材が第１の鏡筒部材の外側に配置された構成に対応させて、付勢部材に上述した２つの付勢力をもたせることができる。
【００１７】
第１のレンズ保持部材を、第１の鏡筒部材に対して光軸直交方向に位置調節可能とすれば、レンズ鏡筒内に配置される他のレンズ保持部材との中心軸を合わせることができ、撮影光軸のズレを防止することができる。
【００１８】
第１の鏡筒部材に、付勢部材の固定部が光軸方向にて当接する固定面を持たせ、第２の鏡筒部材における第１の付勢部が当接する部分を、固定面よりも第２の付勢部の側に突出させることで、簡単な構成で付勢部材に付勢力を持たせることができる。
【００１９】
上述したように付勢部材の付勢力によって第２の鏡筒部材におけるガタを無くすことで、第１のレンズ保持部材よりも像面側に配置された第２のレンズ保持部材を、第２の鏡筒部材によって光軸方向における位置精度を保った状態で駆動することができる。
【００２０】
第１および第２の鏡筒部材が、レンズ鏡筒本体に対して一体的に光軸方向に移動可能な構成においては、上述した付勢部材の付勢力によって第１および第２の鏡筒部材をガタなく駆動することができる。
【発明を実施するための最良の形態】
【００２１】
以下、本発明の実施例について説明する。
【実施例１】
【００２２】
図９は、本発明の実施例１であるレンズ鏡筒を備えたカメラの概略断面図である。同図において、カメラ本体２０には、複数の撮影レンズ群を有するレンズ鏡筒３０が備え付けられている。カメラ本体２０内には、ＣＣＤやＣＭＯＳイメージセンサ等の撮像素子４０が配置されており、この撮像素子４０には、レンズ鏡筒３０内の複数の撮影レンズ群によって形成された光学像が結像する。
【００２３】
撮像素子４０は、物体光を光電変換によって電気信号に変換し、この信号を蓄積するとともに、蓄積した信号を出力する。撮像素子４０から出力された信号は、カメラ本体２０内に設けられた信号処理回路５０で所定の信号処理が施された後、表示部６０に出力されて、表示部６０において撮影画像として表示される。また、信号処理回路５０の出力信号（画像信号）は、記録媒体７０に記録される。
【００２４】
図８は、本実施例におけるレンズ鏡筒の断面図である。
【００２５】
レンズ鏡筒の駆動源となるモータ１１は、カメラ本体２０に固定される固定筒１０に固定されており、モータ１１の回転軸に圧入されたギア１２は、光軸方向に延びるギア１３と噛み合っている。
【００２６】
第３回転筒１４の外周面には、ヘリコイドが形成されており、このヘリコイドは固定筒１０の内周面に形成されたヘリコイドと係合している。また、第３回転筒１４は、この外周において、ギア１３と噛み合っている。この構成において、第３回転筒１４は、ギア１３を介してモータ１１からの駆動力を受けることにより、光軸回りに回転する。ここで、第３回転筒１４は、固定筒１０とヘリコイドを介して係合しているため、光軸回りに回転しながら光軸方向に移動することになる。
【００２７】
第３直進筒１５は、第３回転筒１４に対して光軸回りに摺動可能な状態で、かつ光軸方向で位置決めされた状態で係合している。これにより、第３直進筒１５は、第３回転筒１４が回転しても回転することはなく、第３回転筒１４とともに光軸方向にのみ移動可能となっている。
【００２８】
第２回転筒１６は、第３回転筒１４および第３直進筒１５との係合作用によって光軸回りに回転しながら、第３回転筒に対して光軸方向に移動可能となっている。第２直進筒１７は、第３回転筒１４と係合しており、第２回転筒１６の回転に対して摺動可能であって（すなわち、光軸回りには回転せず）、第２回転筒１６とともに光軸方向に一体的に移動可能となっている。
【００２９】
第１回転筒（第２の鏡筒部材）２は、第２回転筒１６および第２直進筒１７との係合作用によって光軸回りに回転しながら、第２回転筒１６に対して光軸方向に移動可能となっている。第１直進筒１（第１の鏡筒部材）は、後述するように第１回転筒２と係合しており、第１回転筒２の回転に対して摺動可能であって（すなわち、光軸回りには回転せず）、第１の回転筒２とともに光軸方向に一体的に移動可能となっている。
【００３０】
撮影レンズ群を保持する第３レンズ枠１８は、第１直進筒１の後部（像面側の端部）に固定されている。
【００３１】
以上の構造において、モータ１１を一方向に回転させると、この駆動力がギア１３を介して第３回転筒１４に伝達され、第３回転筒１４、第２回転筒１６および第１回転筒２のそれぞれが光軸方向に繰り出すことになる。一方、モータ１１を他方向に回転させると、この駆動力がギア１３を介して第３回転筒１４に伝達され、第３回転筒１４、第２回転筒１６および第１回転筒２が光軸方向で繰り込むことになる。これにより、多段式のレンズ鏡筒が構成（公知の構成）される。
【００３２】
図１は、本実施例のレンズ鏡筒において、第１回転筒２および第１直進筒１を含むユニットの分解斜視図であり、一部の部品は光軸を含む平面で切断した状態を示している。
【００３３】
図１において、第１直進筒１の光軸方向における後端部には、この周方向において複数のバヨネット部１０１が形成されている。これらのバヨネット部１０１は、固定筒２の内周面に形成され、周方向に延びる溝部２０１と係合している。
【００３４】
この構成において、第１回転筒２が光軸回りに回転すると、第１直進筒１は第１回転筒２に対して摺動するため、光軸回りには回転することがないが、バヨネット部１０１が溝部２０１と光軸方向において係合しているため、第１回転筒２とともに光軸方向に移動することになる。
【００３５】
直進筒１の内部に配置された第２レンズ枠（第２のレンズ保持部材）３は、この中央において撮影レンズ３０１を保持している。また、第２レンズ枠３は、この外周において、１２０度の等間隔３箇所の位置に、カムフォロアー３０２が設けられており、これらのカムフォロアー３０２は、第１直進筒１に形成され、光軸方向に延びる直進溝部１０２を貫通して、第１回転筒２の内周面に形成されたカム溝部２０２が係合する。
【００３６】
このカム溝部２０２は、ズーミングとフォーカシングを交互に行うアドレスズーム方式のカムである。上記の構成において、第１回転筒２が第１直進筒１に対して光軸回りに回転すると、カム溝部２０２およびカムフォロアー３０２との係合作用によって第２レンズ枠３が光軸方向に進退し、撮影光学系のズーミングおよびフォーカシングを行うことができるようになっている。
【００３７】
図２において、第１レンズ枠（第１のレンズ保持部材）６は、レンズ群６０１を保持している。第１レンズ枠６を第１直進筒１に組み込む際は、第１レンズ枠６の周方向３箇所に形成されたフランジ部６０２ａ、６０２ｂ、６０２ｃ（なお、フランジ部６０２ｃは不図示）は、第１直進筒１の受け凹部１０３ａ、１０３ｂ、１０３ｃに係合させる。これにより、第１レンズ枠６の光軸方向における位置が決まる。
【００３８】
図７は、レンズ鏡筒（第１直進筒１）に組み込まれる付勢部材４の正面図である。同図において、付勢部材４は、リング状に形成され、厚みの薄い平面形状の板バネで構成されており、弾性を有している。
【００３９】
付勢部材４の外周５箇所には、付勢部材４の径方向外側に突出する第１付勢部４０２ａ〜４０２ｅが形成されている。これらの第１付勢部４０２ａ〜４０２ｅのうち第１付勢部４０２ｂには、この弾性力を弱め、付勢部材４の中心を挟んで第１付勢部材４０２ｂと略対向する位置にある第１付勢部材４０２ｅ、４０２ｄにおける弾性力と略等しい弾性力をもたせるために、付勢部材４の周方向に延びるスリット部４０２ｂ１が形成されている。
【００４０】
すなわち、付勢部材４の周方向５箇所に形成された第１付勢部４０２ａ〜４０２ｅは、付勢部材４の中心（光軸に相当する）を挟んで略対向する領域における弾性力が、略等しくなるように形成されている。これにより、後述するように、第１付勢部４０２ａ〜４０２ｅによって第１回転筒２を付勢する付勢力を、第１回転筒２の周方向（光軸回り）において略等しくすることができる。
【００４１】
また、付勢部材４の内周３箇所には、第２付勢部４０３ａ、４０３ｂ、４０３ｃが形成されている。これらの第２付勢部４０３ａ〜４０３ｃのうち第２付勢部４０３ｂ、４０３ｃは、凸状に形成され、付勢部材４の周方向に延びるように形成されている。さらに、付勢部材４には、この付勢部材４を第１直進筒１にネジ止めするためのビスが挿入される固定穴部（固定部）４０１ｅ、４０１ｆが形成されている。
【００４２】
次に、図１から図３を用いて、付勢部材４を第１直進筒１に固定する方法について説明する。
【００４３】
まず、第１レンズ枠６を第１直進筒１に対してレンズ鏡筒前方からはめ込み、フランジ部６０２ａ〜６０２ｃを第１直進筒１の受け凹部１０３ａ〜１０３ｃに対して位相を合わせた状態で係合させる。
【００４４】
ここで、フランジ部６０２ａ〜６０２ｃの光軸直交方向における長さ（第１レンズ枠６の径方向における長さ）は、受け凹部１０３ａ〜１０３ｃの光軸直交方向における長さ（第１直進筒１の径方向における長さ）よりも１ｍｍ程度短く形成されている。また、フランジ部６０２ａ〜６０２ｃの光軸回りの長さ（第１レンズ枠６の周方向における長さ）は、受け凹部１０３ａ〜１０３ｃの光軸回りの長さ（第１直進筒１の周方向における長さ）よりも１ｍｍ程度短く形成されている。
【００４５】
そして、付勢部材４の固定穴部４０１ｅ、４０１ｆを、第１直進筒１の平面部（端面）１０５に形成されたピン１０５に係合させる。また、４本のビス５を、付勢部材４の固定穴部４０１ａ〜４０１ｄを通して、第１直進筒１の端面に形成されたタップ穴部１０４ａ〜１０４ｄにネジ止めする。
【００４６】
これにより、図３に示すように、付勢部材４が第１直進筒１の平面部（端面）１０５に固定される。
【００４７】
第１回転筒２の先端側内周には、第１回転筒２の径方向内側に延びる平面部２０３が形成されている。この平面部２０３は、第１直進筒１の平面部１０５よりもレンズ鏡筒先端側に位置しているため、平面部２０３および平面部１０５の境界には、図４および図５に示すように、段差が生じている。
【００４８】
このため、付勢部材４を第１直進筒１に組み込むと、付勢部材４の外周５箇所に設けられた第１付勢部４０２ａ〜４０２ｅは、第１回転筒２の平面部２０３との当接によって弾性変形し（図４および図５参照）、平面部２０３に対してレンズ鏡筒後部（像面側）への付勢力を与えることになる。
【００４９】
したがって、第１回転筒２は第１直進筒１に対して相対的に像面側に押し込まれた状態となり、第１回転筒２の内周面に形成された溝部２０１が、第１直進筒１のバヨネット部１０１のうちレンズ鏡筒前側（被写体側）の面に当接することになる。これにより、溝部２０１およびバヨネット部１０１間の光軸方向におけるガタを無くすことができる。
【００５０】
ここで、第１直進筒１に対して第１回転筒２が相対的に光軸回りに回転しても、第１回転筒２の平面部２０３は、付勢部材４の第１付勢部４０２ａ〜４０２ｅに対して摺動しながら移動することになり、絶えず付勢部材４からの付勢力を受けることになる。これにより、溝部２０１およびバヨネット部１０１間のガタが無い状態で、第１回転筒２が駆動されることになる。
【００５１】
一方、付勢部材４および第１レンズ枠６の第１直進筒１への組み込み状態において、付勢部材４の第２付勢部４０３ａ〜４０３ｃは、図６に示すように、フランジ部６０２ａ〜６０２ｃと同じ位相関係にあり、フランジ部６０２ａ〜６０２ｃをレンズ鏡筒後部（像面側）に付勢して、受け凹部１０３ａ〜１０３ｃに押し付ける（図４および図５参照）。
ここで、フランジ部６０２ａ〜６０２ｃおよび受け凹部１０３ａ〜１０３ｃは、上述した大きさに形成されているため、光軸に直交する面内において隙間をもった状態となっている。
【００５２】
このため、第１レンズ枠６に外力が加わると、第１レンズ枠６（フランジ部６０２ａ〜６０２ｃ）は第１直進筒１の受け凹部１０３ａ〜１０３ｃに接触したまま光軸に直交する面内を移動することになる。そして、第１レンズ枠６への外力が無くなると、第１レンズ枠６（フランジ部６０２ａ〜６０２ｃ）は、付勢部材４（第２付勢部４０３ａ〜４０３ｃ）の付勢力を受けているため、フランジ部６０２ａ〜６０２ｃおよび第２付勢部４０３ａ〜４０３ｃ間の摩擦力によって、外力が無くなったときの位置で停止する。
【００５３】
このように第１レンズ枠６を光軸と直交する面内において変位させることにより、第１レンズ枠６の中心を、第１直進筒１の中心軸や、第２レンズ枠３のレンズ群３０１の中心軸に対して位置調整することが可能となる。なお、フランジ部６０２ａ〜６０２ｃおよび受け凹部１０３ａ〜１０３ｃ間の隙間に接着剤を塗布すれば、第１レンズ枠６を、位置調整を行った状態で第１直進筒１に確実に固定することができる。
【００５４】
本実施例のレンズ鏡筒では、付勢部材４をレンズ鏡筒の先端側から組み込む簡単な構成において、付勢部材４の外周に形成された第１付勢部４０２ａ〜４０２ｅによって、第１直進筒１に対する第１回転筒２の光軸方向におけるガタを防止し、第２レンズ枠３のレンズ群３０１と第１レンズ枠６のレンズ群６０１との光軸方向におけるガタを抑制している。
【００５５】
また、上述したように、付勢部材４の内周に形成された第２付勢部４０３ａ〜４０３ｃによって、第１レンズ枠６を光軸に直交する面内で移動可能に保持することができ、第１レンズ枠６の位置を撮影光軸に対して調整することができる。
【００５６】
さらに、付勢部材４は、リング状に形成され、この周方向で連なる１つの平面を有しているため、第１回転筒２や第１レンズ枠６に対する付勢力のバラツキを低減することができる。しかも、付勢部材４は、光軸方向において厚みが薄い板部材であるため、レンズ鏡筒の光軸方向における長さを短く（小型化）することができる。
【図面の簡単な説明】
【００５７】
【図１】本発明の実施例１であるレンズ鏡筒の一部分の断面図。
【図２】上記レンズ鏡筒の一部分の外観斜視図。
【図３】上記レンズ鏡筒の一部分の組み立て状態を示す外観斜視図。
【図４】上記レンズ鏡筒の一部分の断面図。
【図５】実施例１のレンズ鏡筒の部分拡大図。
【図６】実施例１のレンズ鏡筒の正面図。
【図７】付勢部材の正面図。
【図８】実施例１のレンズ鏡筒の断面図。
【図９】実施例１におけるカメラの概略断面図。
【符号の説明】
【００５８】
１：第１直進筒  １０１：バヨネット部  １０２：直線溝部
１０３ａ、１０３ｂ、１０３ｃ：受け凹部  １０４：タップ穴部  １０５：平面部
２：第１回転筒  ２０１：溝部  ２０２：カム溝部  ２０３：平面部
３：第１レンズ枠  ３０１：レンズ群  ３０２：カムフォロアー（カムピン）
４：付勢部材  ４０１ａ、４０１ｂ、４０１ｃ：固定穴部
４０２ａ、４０２ｂ、４０２ｃ、４０２ｄ、４０２ｅ：第１付勢部
４０３ａ、４０３ｂ、４０３ｃ：第２付勢部
５：ビス  ６：第２レンズ枠  ６０１：レンズ群
６０２ａ、６０２ｂ、６０２ｃ：フランジ部
１０：固定筒  １１：モータ  １２：ギア  １３：ギア  １４：第３回転筒
１５：第３直進筒  １６：第２回転筒  １７：第２直進筒  １８：第３レンズ枠
【図１】
2005173414.tif 000003
【図２】
2005173414.tif 000004
【図３】
2005173414.tif 000005
【図４】
2005173414.tif 000006
【図５】
2005173414.tif 000007
【図６】
2005173414.tif 000008
【図７】
2005173414.tif 000009
【図８】
2005173414.tif 000010
【図９】
2005173414.tif 000011